(57)【要約】      （修正有）【課題】コネクタに装着した外部装置の転倒による損傷を防ぐことができるスピーカ装置を提供する。【解決手段】オーディオ装置１は、スピーカ９Ａ，９Ｂと、スピーカ９Ａ，９Ｂの前方に設けられ、スピーカ９Ａ，９Ｂを保護する網目状のパンチングメタル１１と、コネクタ５に装着された外部装置１００をパンチングメタル１１との間で挟み込んで支持する着脱可能な止め部材２０Ａ，２０Ｂとを備えている。止め部材２０Ａ，２０Ｂは、パンチングメタル１１に対し磁力により面接触する接触面と、パンチングメタル１１との間に間隙をおいて対向する支持面と、接触面に設けられ、パンチングメタル１１の穴１１Ａに挿入可能な複数の突起部とを有する。【選択図】図１
2013126203.tif 000002
【特許請求の範囲】
【請求項１】
スピーカと、
該スピーカの放音方向側に設けられ、前記スピーカを保護する金属製スピーカネットと、
外部装置を装着するコネクタと、
該コネクタに装着された外部装置の少なくとも一部が前記金属製スピーカネットの前記放音方向側に位置するようにコネクタを支持するコネクタ支持部と、
前記コネクタに装着された外部装置を前記金属製スピーカネットとの間で挟み込んで支持する着脱可能な支持部材と、
を備え、
前記支持部材は、
前記金属製スピーカネットに対し磁力により面接触する接触面と、
前記金属製スピーカネットとの間に間隙をおいて対向する対向面と、
を有することを特徴とするスピーカ装置。
【請求項２】
前記支持部材は、
前記接触面に設けられ、前記金属製スピーカネットの網目に挿入可能な複数の突起部
を有する、
ことを特徴とする請求項１に記載のスピーカ装置。
【請求項３】
前記金属製スピーカネットの縁部を覆うように前記縁部に沿って設けられた縁部囲み部を備え、
前記縁部囲み部は、前記金属製スピーカネットの縁部との間に空隙を形成し、
前記接触面の縁部の一部は前記空隙よりも薄い板状としてある、
ことを特徴とする請求項１又は２に記載のスピーカ装置。
【請求項４】
前記支持部材の対向面は、端部に向かうに伴い、前記金属製スピーカネットとの距離が大きくなるよう形成されている、
ことを特徴とする請求項１から３の何れかに記載のスピーカ装置。
【発明の詳細な説明】
【技術分野】
【０００１】
本発明は、外部装置を装着するコネクタ部が設けられたスピーカ装置に関する。
【背景技術】
【０００２】
近年、携帯機器で音楽を聴くユーザが増えてきている。これに伴い、携帯機器を接続するためのコネクタを有し、携帯機器に保存された音楽データを出力することができるオーディオ機器も増えてきている（例えば、特許文献１参照）。特許文献１に記載のオーディオ機器は、コネクタが傾斜されて設けられているため、携帯機器を水平方向に対して傾斜させて、着脱させる必要がある場合がある。
【先行技術文献】
【特許文献】
【０００３】
【特許文献１】特開２００９−１１０６４５号公報
【発明の概要】
【発明が解決しようとする課題】
【０００４】
特許文献１に記載のオーディオ機器の場合、コネクタが傾斜しているため、そのコネクタに装着した携帯機器も傾斜した状態となる。この状態において、オーディオ機器に何らかの衝撃が加えられた場合、携帯機器が傾斜方向とは反対方向に転倒するおそれがある。このとき、携帯機器が破損するだけでなく、携帯機器とコネクタとの間に負荷が加わり、コネクタ部分が破損し、または、コネクタと回路基板との間の半田が剥離し、接触不良が生じるおそれがある。
【０００５】
そこで、本発明の目的は、コネクタに装着した外部装置の転倒による損傷を防ぐことができるスピーカ装置を提供することにある。
【課題を解決するための手段】
【０００６】
本発明に係るスピーカ装置は、スピーカと、該スピーカの放音方向側に設けられ、前記スピーカを保護する金属製スピーカネットと、外部装置を装着するコネクタと、該コネクタに装着された外部装置の少なくとも一部が前記金属製スピーカネットの前記放音方向側に位置するようにコネクタを支持するコネクタ支持部と、前記コネクタに装着された外部装置を前記金属製スピーカネットとの間で挟み込んで支持する着脱可能な支持部材と、を備え、前記支持部材は、前記金属製スピーカネットに対し磁力により面接触する接触面と、前記金属製スピーカネットとの間に間隙をおいて対向する対向面と、を有することを特徴とする。
【０００７】
この構成では、支持部材の接触面が磁力により金属製スピーカネットに面接触し、対向面と金属製スピーカネットとの間で外部装置を挟んで支持することで、コネクタに装着された外部装置の安定性を確保して、外部装置の転倒を防止できる。転倒を防止することで、外部装置またはコネクタの破損のおそれを抑制できる。また、支持部材を磁力により装着するため、支持部材の着脱が容易であり、着脱位置が制限されることがないため、自由に支持部材を装着することができる。
【０００８】
前記支持部材は、前記接触面に設けられ、前記金属製スピーカネットの網目に挿入可能な複数の突起部を有することを特徴とする。
【０００９】
この構成では、支持部材は、突起部が金属製スピーカネットの網目に挿入されて金属スピーカネットに取り付けられるため、支持部材を金属製スピーカネットに取り付けた場合に、金属製スピーカネットの面に沿ってずれることがない。
【００１０】
前記スピーカ装置は、前記金属製スピーカネットの縁部を覆うように前記縁部に沿って設けられた縁部囲み部を備え、前記縁部囲み部は、前記金属製スピーカネットの縁部との間に空隙を形成し、前記接触面の縁部の一部は前記空隙よりも薄い板状としてある、ことを特徴とする。
【００１１】
この構成では、支持部材の接触面の縁部を、金属製スピーカネットの縁部および囲み部の端部の間に形成された空隙に入り込ませることができ、スピーカネットに装着した支持部材が、スピーカネットから外れにくくすることができる。
【００１２】
前記支持部材の対向面は、端部に向かうに伴い、前記金属製スピーカネットとの距離が大きくなるよう形成されている、ことを特徴とする。
【００１３】
この構成では、対向面とスピーカネットとの間の距離は、対向面の位置によって異なる。従って、外部装置の厚みに応じて支持部材の取り付け位置を変えることで、対向面とスピーカネットとで外部装置を挟み込むことができるため、コネクタに装着する外部装置の厚みに関係なく、外部装置の転倒を防止することができる。
【発明の効果】
【００１４】
本発明によれば、支持部材とスピーカネットとの間で外部装置を挟んで支持することで、コネクタに装着された外部装置の安定性を確保して、外部装置の転倒を防止できる。転倒を防止することで、外部装置またはコネクタの破損のおそれを抑制できる。また、外部装置を固定する支持部材は、磁力によりスピーカネットに装着できるため、支持部材の着脱が容易であり、着脱位置が制限されることがなく、自由に支持部材を装着することができる。さらに、突起部が金属製スピーカネットの網目に挿入されるため、支持部材をスピーカネットに取り付けた場合に、金属製スピーカネットの面に沿ってずれることがない。
【図面の簡単な説明】
【００１５】
【図１】本発明の基板支持構造を備えたオーディオ装置の外観斜視図。
【図２】コネクタが設置されている基板を示す側面模式図。
【図３】オーディオ装置に外部装置を装着した状態を示す正面図。
【図４】（Ａ）は止め部材の正面斜視図、（Ｂ）は止め部材の背面斜視図、（Ｃ）は止め部材の側面図。
【図５】厚みが異なる外部装置を支持した状態を示す図。
【図６】止め部材による外部装置の支持態様の変形例を示す図。
【図７】スピーカを縦配列したオーディオ装置を示す模式図。
【図８】一部にパンチングメタルがないオーディオ装置に外部装置を装着した状態を示す正面図。
【発明を実施するための形態】
【００１６】
以下、本発明に係るスピーカ装置の好適な一実施形態について説明する。以下の実施形態では、本発明に係るスピーカ装置をオーディオ装置として説明する。オーディオ装置とは、例えば、音データを再生し、スピーカから放音させる機能を備えた装置をいう。
【００１７】
図１は実施形態に係るオーディオ装置の外観斜視図である。本実施形態において、オーディオ装置１はスピーカ９Ａ，９Ｂを備えており、スピーカ９Ａ，９Ｂの放音方向側をオーディオ装置１の前方とする。また、図１で円内に示した図は、オーディオ装置１の一部を拡大した断面を示している。
【００１８】
オーディオ装置１は、略直方体形状で、角部がＲ形状となった筐体１０を備えている。筐体１０の前方側の面（以下、前面という。）には二つのスピーカ９Ａ，９Ｂが設けられている。スピーカ９Ａ，９Ｂは、筐体１０の幅方向に沿って並べて設けられている。スピーカ９Ａ，９Ｂの前方には、スピーカ９Ａ，９Ｂを保護するためのパンチングメタル（金属製スピーカネット）１１が設けられている。パンチングメタル１１は金属板であって、パンチング加工して所定のピッチ幅で形成された複数の穴１１Ａを有している。なお、図示しないが、筐体１０の背面には、電源ケーブルなどを接続するコネクタが設けられている。
【００１９】
筐体１０の底部中央には、前方に突出し、コネクタ５を支持する板状の支持部（コネクタ支持部）１０Ａが形成されている。コネクタ５には外部装置１００を装着される。外部装置１００は、音データを記憶するメモリを有する装置であって、例えば、携帯音楽プレーヤ、タブレット型コンピュータ、ＰＤＡ（Personal Digital Assistant）、携帯電話機などが挙げられる。オーディオ装置１は、コネクタ５に外部装置１００が装着され、再生開始操作を受け付けると、外部装置１００に保存された音データを取得して、スピーカ９Ａ，９Ｂから放音する。
【００２０】
図２は、コネクタ５が設置されている基板を示す側面模式図である。コネクタ５は、具体的には、法線方向から背面方向に約１５度傾いた状態で回路基板に設けられていて、その回路基板は、コネクタ５が鉛直方向に支持部１０Ａから突出するように支持されている。回路基板５Ａの実装面には、実装面の法線方向ｎから約１５度傾斜した状態でコネクタ５が設けられている。そして、回路基板５Ａは水平方向から正面方向に約１５度傾けて支持されるため、コネクタ５は鉛直方向に突出した状態となる。従って、ユーザは、コネクタ５に対し、外部装置１００をパンチングメタル１１の面に沿って着脱できるようになっている。
【００２１】
なお、回路基板５Ａは、コネクタ５が鉛直方向からパンチングメタル１１側へ傾斜した方向に突出するよう支持されていてもよい。この場合、回路基板５Ａは厚み方向に揺動可能に支持されることが好ましい。ユーザは、鉛直方向に外部装置１００を着脱するため、コネクタ５の突出方向が傾斜したままであると、外部装置１００をコネクタ５から着脱する場合に、コネクタ５に負荷が加わり、場合によってはコネクタ５と回路基板５Ａとの間の半田が剥離し、接触不良や破損が生じるおそれがある。そこで、揺動可能に支持することで、傾斜したコネクタ５の突出方向を鉛直方向にすることができ、ユーザは、外部装置１００を鉛直方向に沿って着脱させることができるようになる。これにより、外部装置１００の着脱時にコネクタ５にかかる負荷を低減することができる。
【００２２】
図１に戻り、図１の円内の一部拡大図に示すように、パンチングメタル１１の周縁に沿った筐体１０の縁部１０Ｂは、前方に突出して、突出した端部が略直角に折れ曲がり、パンチングメタル１１と略平行に対向する形状となっている。この縁部１０Ｂとパンチングメタル１１との間に形成される空隙には、後述の止め部材２０Ａ，２０Ｂの一部が挿入される。
【００２３】
パンチングメタル１１には、止め部材（支持部材）２０Ａ，２０Ｂが着脱可能に取り付けられる。止め部材２０Ａ，２０Ｂは、磁力により金属製のパンチングメタル１１に密着して、コネクタ５に装着された外部装置１００を、パンチングメタル１１と挟み込んで支持する部材である。
【００２４】
図３はオーディオ装置１に外部装置１００を装着した状態を示す正面図である。外部装置１００をコネクタ５に装着すると、外部装置１００の略全体はパンチングメタル１１の前方に位置するようになる。この状態で、外部装置１００は、側面が、パンチングメタル１１にはめ込まれた止め部材２０Ａ，２０Ｂとパンチングメタル１１との間で挟み込まれて支持されている。これにより、外部装置１００がオーディオ装置１の前方への転倒することを防止し、転倒によるコネクタ５または外部装置１００の損傷を防止している。
【００２５】
以下に、止め部材２０Ａ，２０Ｂの形状について詳述する。
【００２６】
図４（Ａ）は止め部材２０Ａの正面斜視図、図４（Ｂ）は止め部材２０Ａの背面斜視図、図４（Ｃ）は止め部材２０Ａの側面図である。なお、止め部材２０Ａ，２０Ｂは互いに左右対称の構造であるため、図４では止め部材２０Ａについてのみ説明する。図４では、Ｘ軸、Ｙ軸、Ｚ軸の３次元方向を用いて説明する。
【００２７】
止め部材２０Ａは弾性部材から形成されていて、図２（Ｃ）に示すように、Ｚ軸方向から見ると略Ｌ字形状を有している。止め部材２０Ａは、−Ｙ方向側がパンチングメタル１１側となり、Ｚ方向側の端部が筐体１０の上方の縁部１０Ｂ側となって、パンチングメタル１１に装着される。
【００２８】
止め部材２０Ａは、−Ｙ方向側に、パンチングメタル１１に対し面接触する矩形状の接触面２１を有している。接触面２１の内側には磁石（不図示）が設けられていて、接触面２１は磁力により金属製のパンチングメタル１１に密着する。また、接触面２１は、Ｚ方向側の端部が、止め部材２０Ａの他の部材よりもＺ方向に突出している。以下、突出した部分を突出部２１Ａという。突出部２１Ａは、図１で説明した、筐体１０の縁部１０Ｂとパンチングメタル１１との間の距離よりも薄い板状であって、筐体１０の縁部１０Ｂとパンチングメタル１１との間に形成される空間に挿入される。これにより、止め部材２０Ａに前方方向への負荷がかけられても、突出部２１Ａが筐体１０の縁部１０Ｂに引っかかる状態となり、止め部材２０Ａがパンチングメタル１１から外れにくくなる。
【００２９】
また、接触面２１には、法線方向に沿って円柱状の突起部２２が複数設けられている。複数の突起部２２は、パンチングメタル１１に形成された穴１１Ａより小さい径を有し、また、複数の穴１１Ａと同じピッチ幅で設けられている。従って、接触面２１がパンチングメタル１１に面接触すると、突起部２２が穴１１Ａに挿入されるようになっている。突起部２２が穴１１Ａに挿入されることで、接触面２１はパンチングメタル１１の面に沿って滑り落ちることを防止できる。
【００３０】
止め部材２０Ａは、外部装置１００をパンチングメタル１１との間で支持するための第１支持面２３および第２支持面（対向面）２４を有している。第１支持面２３はＸ方向を法線方向とし、接触面２１に直交している。また、第２支持面２４は、−Ｙ方向から見える面であって、Ｙ方向側に傾斜して、第１支持面２３と隣接している。止め部材２０Ａをパンチングメタル１１に装着した場合、第１支持面２３がパンチングメタル１１に直交するため、第２支持面２４は、第１支持面２３のＹ軸方向の長さ分の間隙をおいて、パンチングメタル１１に対向するようになる。この第２支持面２４とパンチングメタル１１との間に形成される間隙に、外部装置１００が挟み込まれて支持される。
【００３１】
また、止め部材２０Ａの第２支持面２４はＹ方向に傾斜している。換言すれば、止め部材２０Ａをパンチングメタル１１に装着した場合、Ｘ方向に向かうに従い、第２支持面２４とパンチングメタル１１との間の距離が大きくなる。このため、止め部材２０Ａ，２０Ｂの装着位置を変えることで、外部装置１００の厚みに関係なく、止め部材２０Ａ，２０Ｂとパンチングメタル１１との間で外部装置１００を挟み込んで支持できるようになっている。
【００３２】
図５は、厚みが異なる外部装置１００を支持した状態を示す図である。図５は、オーディオ装置１の上方から見た図であって、紙面縦方向が図１に示すオーディオ装置１の幅方向となり、紙面横方向がオーディオ装置１の前後方向となる。
【００３３】
外部装置１００は、図５（Ａ）、図５（Ｂ）、図５（Ｃ）の順に厚みが小さくなっている。図５（Ａ）に示すように、外部装置１００の厚みが他より大きい場合、止め部材２０Ａ，２０Ｂ間の距離を大きくとることで、第２支持面２４の端部側とパンチングメタル１１との間で外部装置１００を挟み込むことができる。図５（Ｂ）に示すように、外部装置１００の厚みが図５（Ａ）よりも薄い場合、止め部材２０Ａ，２０Ｂ間の距離を図５（Ａ）よりも狭めることで、第２支持面２４の略中央部とパンチングメタル１１との間で外部装置１００を挟み込むことができる。図５（Ｃ）に示すように、外部装置１００の厚みが図５（Ｂ）よりも薄い場合、止め部材２０Ａ，２０Ｂ間の距離を図５（Ｂ）よりもさらに狭めることで、外部装置１００の側面を第１支持面２３に密着させることができ、第２支持面２４の略全体とパンチングメタル１１との間で外部装置１００を挟み込むことができる。
【００３４】
このように、第２支持面２４に傾斜を持たせることで、外部装置１００の厚みに関係なく、止め部材２０Ａ，２０Ｂは外部装置１００をパンチングメタル１１との間で固定できるようになっている。また、止め部材２０Ａの一部（突出部２１Ａ）が、筐体１０の縁部１０Ｂとパンチングメタル１１との間の空間に挿入できるため、止め部材２０Ａに前方方向への負荷がかけられても、突出部２１Ａが筐体１０の縁部１０Ｂに引っかかる状態となり、止め部材２０Ａがパンチングメタル１１から外れにくくできる。
【００３５】
なお、止め部材２０Ａ，２０Ｂによる外部装置１００の支持態様は図３に限定されない。図６は、止め部材２０Ａ，２０Ｂによる外部装置１００の支持態様の変形例を示す図である。図６（Ａ）に示すように、外部装置１００の上部分の一カ所で、一つの止め部材２０Ａにより固定するようにしてもよい。また、図６（Ｂ）に示すように、外部装置１００のサイズが小さい場合には、止め部材２０Ａ，２０Ｂをパンチングメタル１１の中央部に装着して、外部装置１００を固定するようにしてもよい。
【００３６】
以上、本発明に係る基板支持構造について説明したが、具体的構成などは適宜設計変更可能であり、上述の実施形態に記載された作用及び効果は、本発明から生じる最も好適な作用及び効果を列挙したに過ぎず、本発明による作用及び効果は、上述の実施形態に記載されたものに限定されるものではない。
【００３７】
例えば、上述の実施形態では、外部装置１００から取得した音データを再生する再生機能を備えたオーディオ装置を例に挙げて説明しているが、本発明は、再生機能を持たないスピーカ装置に外部装置１００を装着して、固定するものであってもよい。この場合、スピーカ装置と別のオーディオ機器とをケーブル（または無線）により接続して、オーディオ機器からの制御にされてスピーカ装置から音を放音する構成となる。また、止め部材２０Ａ，２０Ｂの一部（突出部２１Ａ）を挿入するための筐体１０の縁部１０Ｂは、パンチングメタル１１の全縁部に沿って筐体１０に形成されていてもよいし、一部分のみに形成されていてもよい。
【００３８】
また、上述の実施形態に係るオーディオ装置１は筐体１０の水平方向に二つのスピーカ９Ａ，９Ｂを設けた構成としているが、スピーカ９Ａ，９Ｂを鉛直方向に並べた構成であってもよい。図７は、スピーカを縦配列したオーディオ装置を示す模式図である。図7に示すオーディオ装置１Ａは、鉛直方向に長い筐体１０を有し、鉛直方向に沿ってスピーカ９Ａ，９Ｂが配列されている。そして、筐体１０は、側面部分であって、鉛直方向の略中央部分に、コネクタ５を支持する支持部１０Ａを有し、外部装置１００が装着可能とされている。また、筐体１０の前面に設けられたパンチングメタル１１に止め部材２０Ａ，２０Ｂを装着し、外部装置１００を上下方向で支持している。また、筐体１０の支持部１０Ａとは反対側の側面部分は、図１で示す縁部１０Ｂと同様の構成としてあり、筐体１０の縁部とパンチングメタル１１との間の空隙に止め部材２０Ａ，２０Ｂの一部を差し込むことで、前面側へ外部装置１００が落ちることを防止している。
【００３９】
上述した止め部材２０Ａ，２０Ｂは、パンチングメタル１１に挿入される突起部２２を備えた構成としているが、突起部２２を備えていなくてもよい。この構成では、パンチングメタル１１の一部に穴１１Ａが形成されていない場合であっても、外部装置１００を支持することができる。図８は、一部にパンチングメタルがないオーディオ装置に外部装置を装着した状態を示す正面図である。オーディオ装置１Ｂが備えるパンチングメタル１１Ｂは、少なくともスピーカ９Ａ，９Ｂの前方に穴を有していて、上部中央近傍には穴を有さない平面領域１１１，１１２が形成されている。
【００４０】
止め部材２５Ａ，２５Ｂは、図４で説明した止め部材２０Ａ，２０Ｂと突起部２２を備えていない点で異なり、他は同じ形状である。止め部材２５Ａ，２５Ｂは接触面２１が磁力により平面領域１１１，１１２と面接触している。そして、止め部材２５Ａ，２５Ｂは第２支持面２４と平面領域１１１，１１２とで外部装置１００を挟み込んで支持する。このように、パンチングメタル１１全面に穴１１Ａが形成されていない場合であっても、外部装置１００を支持することができる。なお、図８に示す止め部材２５Ａ，２５Ｂは、筐体１０の縁部１０Ｂに引っかけるための突出部２１Ａを備えていなくてもよい。
【符号の説明】
【００４１】
１，１Ａ−オーディオ装置
５−コネクタ
９Ａ，９Ｂ−スピーカ
１０−筐体
１０Ａ−支持部（コネクタ支持部）
１０Ｂ−縁部（縁部囲み部）
１１−パンチングメタル（金属製スピーカネット）
１１Ａ−穴
２０Ａ，２０Ｂ−止め部材（支持部材）
２１−接触面
２１Ａ−突出部
２２−突起部
２３−第１支持面
２４−第２支持面（対向面）
１００−外部装置
【図１】
2013126203.tif 000003
【図２】
2013126203.tif 000004
【図３】
2013126203.tif 000005
【図４】
2013126203.tif 000006
【図５】
2013126203.tif 000007
【図６】
2013126203.tif 000008
【図７】
2013126203.tif 000009
【図８】
2013126203.tif 000010